(57)【要約】【課題】商品を梱包するとともに陳列する箱体において、陳列用開口の箇所の強度を十分として、箱を積み重ねた場合に、陳列用開口の箇所が損傷せず、安定した積み重ね状態を維持することができる梱包兼陳列用箱体を提供する。【解決手段】包装箱本体５の正面部１２の内側の面に、補強部材１００の中央板部１０２が接着されている。補強部材１００は、中央板部１０２と、板状部１０４、１０６、１０８、１１０と、突状部１２０、１２２とを有し、中央板部１０２の横方向の長さと板状部１０４の横方向の長さと板状部１０６の横方向の長さの和が、正面部１２の横方向の長さよりも大きく形成され、板状部１０４、１０６は、正面部１２に対して傾斜する。中央板部１０２には、切断予定線Ｍ１１が形成され、正面部１２にも切断予定線Ｍ１１に対応した切断予定線が形成されている。【選択図】図３
0003158508.tif 000002
【実用新案登録請求の範囲】
【請求項１】
商品を梱包するとともに陳列するための梱包兼陳列用箱体であって、
１枚のシート状のブランクにより形成され、組立て状態で箱状を呈する箱体本体の１つの側面部である対象側面部に開口を形成するための第１切断予定線が形成され、
箱体本体を構成するブランクとは異なる１枚のシート状のブランクにより形成され、該対象側面部の内側の面に接着された補強部材で、該第１切断予定線に沿って第２切断予定線が形成され、第２切断予定線を介した一方の領域と他方の領域とがそれぞれ該対象側面部の内側の面に接着された略方形状の中央板部と、中央板部の両側の辺部から折れ線を介して連設された方形状の第１板状部と、第１板状部の中央板部側とは反対側の辺部から折れ線を介して連設された方形状の第２板状部とを有する補強部材が設けられ、
補強部材における中央板部の横方向の長さと第１板状部の横方向の長さの２つ分の和が、箱体本体における該対象側面部の横方向の長さよりも大きく形成されていることを特徴とする梱包兼陳列用箱体。
【請求項２】
第１切断予定線が、横方向に形成された第１切断予定線第１部分と、該第１切断予定線第１部分の両側の端部から対象側面部の上端にまで形成された第１切断予定線第２部分とを有し、第２切断予定線が、横方向に形成された第２切断予定線第１部分と、該第２切断予定線第１部分の両側の端部から中央板部の上端にまで形成された第２切断予定線第２部分とを有することを特徴とする請求項１に記載の梱包兼陳列用箱体。
【請求項３】
箱体本体における該対象側面部の上辺から折れ線を介して上面部が連設され、該上面部には、上面部に開口部を形成するための第３切断予定線で、第１切断予定線につながって形成された第３切断予定線が形成され、第１切断予定線と第３切断予定線とを切断することにより、箱体本体の対象側面部から上面部にかけて開口部が形成されることを特徴とする請求項１又は２に記載の梱包兼陳列用箱体。
【請求項４】
上記対象側面部と上面部間の折れ線で、第１切断予定線と第３切断予定線よりも外側の折れ線に沿って第４切断予定線が形成されていることを特徴とする請求項３に記載の梱包兼陳列用箱体。
【請求項５】
補強部材における中央板部と第１板状部と第２板状部における高さ方向の長さが互いに略同一の長さに形成され、該高さ方向の長さは、該対象側面部の内側の面の下端から上端までの長さと略同一であることを特徴とする請求項１又は２又は３又は４に記載の梱包兼陳列用箱体。
【請求項６】
補強部材における第２板状部の上辺から折れ線を介して片部が連設されていることを特徴とする請求項１又は２又は３又は４又は５に記載の梱包兼陳列用箱体。
【請求項７】
商品を梱包するとともに陳列するための梱包兼陳列用箱体であって、
１枚のシート状のブランクにより形成され、組立て状態で箱状を呈する箱体本体の１つの側面部である対象側面部に開口を形成するための第１切断予定線で、横方向に形成された第１切断予定線第１部分と、該第１切断予定線第１部分の両側の端部から対象側面部の上端にまで形成された第１切断予定線第２部分とを有する第１切断予定線が形成され、
箱体本体を構成するブランクとは異なる１枚のシート状のブランクにより形成され、該対象側面部の内側の面に接着された補強部材で、該第１切断予定線に沿って第２切断予定線で横方向に形成された第２切断予定線第１部分と、該第２切断予定線第１部分の両側の端部から中央板部の上端にまで形成された第２切断予定線第２部分とを有する第２切断予定線が形成され、第２切断予定線を介した一方の領域と他方の領域とがそれぞれ該対象側面部の内側の面に接着された略方形状の中央板部と、中央板部の両側の辺部から折れ線を介して連設された方形状の第１板状部と、第１板状部の中央板部側とは反対側の辺部から折れ線を介して連設された方形状の第２板状部と、第２板状部の上辺から折れ線を介して連設された片部とを有する補強部材と、
箱体本体における該対象側面部の上辺から折れ線を介して連設された上面部で、該上面部に開口部を形成するための第３切断予定線で第１切断予定線につながって形成された第３切断予定線が形成された上面部と、を有し、
対象側面部と上面部間の折れ線で、第１切断予定線と第３切断予定線よりも外側の折れ線に沿って第４切断予定線が形成され、
補強部材における中央板部の横方向の長さと第１板状部の横方向の長さの２つ分の和が、箱体本体における該対象側面部の横方向の長さよりも大きく形成され、補強部材における中央板部と第１板状部と第２板状部における高さ方向の長さが互いに略同一の長さに形成され、該高さ方向の長さは、該対象側面部の内側の面の下端から上端までの長さと略同一であり、また、第１切断予定線と第３切断予定線とを切断することにより、箱体本体の対象側面部から上面部にかけて開口部が形成されることを特徴とする梱包兼陳列用箱体。
【請求項８】
箱体本体と補強部材とが、ともに、段ボール製その他の紙製であることを特徴とする請求項１又は２又は３又は４又は５又は６又は７に記載の梱包兼陳列用箱体。
【考案の詳細な説明】
【技術分野】
【０００１】
本考案は、商品を梱包するとともに陳列する箱体に関するものである。
【背景技術】
【０００２】
従来より、商品を梱包するとともに、梱包した商品を陳列する箱体が存在する。例えば、特許文献１に記載の梱包用兼陳列用収納箱においては、箱体の一対の側面形成片に連設して設けられ、側面形成片に重なり合う補強用側面片が設けられている。
【０００３】
また、特許文献２に記載の包装箱においては、一対の端面第１内フラップを第１側板との間の連接折曲げ線と略平行な線に沿って折り曲げることにより補強柱を形成し、また、一対の端面第２内フラップを第２側板との間の連接折曲げ線と略平行な線に沿って折り曲げることにより補強柱を形成している。
【先行技術文献】
【特許文献】
【０００４】
【特許文献１】実用新案登録第３１３４２０４号公報
【特許文献２】特開２００３−３４１６６０号公報
【考案の概要】
【考案が解決しようとする課題】
【０００５】
しかし、上記特許文献１に記載の梱包用兼陳列用収納箱や特許文献２に記載の包装箱においては、陳列用開口の箇所の強度が十分でなく、箱を積み重ねた場合に、陳列用開口の箇所が損傷して、安定した積み重ね状態を維持できないおそれがある。
【０００６】
そこで、本考案が解決しようとする問題点は、商品を梱包するとともに陳列する箱体において、陳列用開口の箇所の強度を十分として、箱を積み重ねた場合に、陳列用開口の箇所が損傷せず、安定した積み重ね状態を維持することができる梱包兼陳列用箱体を提供することである。
【課題を解決するための手段】
【０００７】
本考案は上記問題点を解決するために創作されたものであって、第１には、商品を梱包するとともに陳列するための梱包兼陳列用箱体であって、１枚のシート状のブランクにより形成され、組立て状態で箱状を呈する箱体本体の１つの側面部である対象側面部に開口を形成するための第１切断予定線が形成され、箱体本体を構成するブランクとは異なる１枚のシート状のブランクにより形成され、該対象側面部の内側の面に接着された補強部材で、該第１切断予定線に沿って第２切断予定線が形成され、第２切断予定線を介した一方の領域と他方の領域とがそれぞれ該対象側面部の内側の面に接着された略方形状の中央板部と、中央板部の両側の辺部から折れ線を介して連設された方形状の第１板状部と、第１板状部の中央板部側とは反対側の辺部から折れ線を介して連設された方形状の第２板状部とを有する補強部材が設けられ、補強部材における中央板部の横方向の長さと第１板状部の横方向の長さの２つ分の和が、箱体本体における該対象側面部の横方向の長さよりも大きく形成されていることを特徴とする。
【０００８】
この第１の構成の梱包兼陳列用箱体においては、箱体本体の対象側面部に形成された第１切断予定線を切断することにより、対象側面部に開口部が形成される。つまり、補強部材の中央板部における第２切断予定線を介した一方の領域と他方の領域とがそれぞれ該対象側面部の内側の面に接着されているので、第１切断予定線を切断して対象側面部の一部を取り除くことにより第２切断予定線も切断されて、補強部材の一部も取り除かれる。これにより、対象側面部に形成された開口部を介して内部の被収納物を視認することができる。
【０００９】
補強部材においては、中央板部の横方向の長さと第１板状部の横方向の長さの２つ分の和が、箱体本体における該対象側面部の横方向の長さよりも大きく形成されているので、第１板状部が対象側面部に対して傾斜し、第２板状部が対象側面部に隣接する側面部に接した状態となるので、特に、対象側面部に対して傾斜した第１板状部が箱体本体の角部の強度を補強し、陳列用開口としての開口部が設けられた対象側面部の側の強度を保つことができ、よって、陳列用開口の箇所の強度を十分として、箱を積み重ねた場合に、陳列用開口の箇所が損傷・変形せず、安定した積み重ね状態を維持することができる。
【００１０】
また、第２には、上記第１の構成において、第１切断予定線が、横方向に形成された第１切断予定線第１部分と、該第１切断予定線第１部分の両側の端部から対象側面部の上端にまで形成された第１切断予定線第２部分とを有し、第２切断予定線が、横方向に形成された第２切断予定線第１部分と、該第２切断予定線第１部分の両側の端部から中央板部の上端にまで形成された第２切断予定線第２部分とを有することを特徴とする。これにより、第２切断予定線を切断して第２切断予定線の内側の領域を取り除いても、中央板部の両側の部分が残るので、中央板部の両側の部分によっても上側の積み重ねられた箱体の重みを支えることができる。
【００１１】
また、第３には、上記第１又は第２の構成において、箱体本体における該対象側面部の上辺から折れ線を介して上面部が連設され、該上面部には、上面部に開口部を形成するための第３切断予定線で、第１切断予定線につながって形成された第３切断予定線が形成され、第１切断予定線と第３切断予定線とを切断することにより、箱体本体の対象側面部から上面部にかけて開口部が形成されることを特徴とする。よって、上面部も開口させることができ、被収納物を視認しやすくなる。
【００１２】
また、第４には、上記第３の構成において、上記対象側面部と上面部間の折れ線で、第１切断予定線と第３切断予定線よりも外側の折れ線に沿って第４切断予定線が形成されていることを特徴とする。また、対象側面部と上面部間の折れ線に沿って第４切断予定線が形成されているので、最上段の箱体については、第４切断予定線に沿って上面部を取り除くことにより、上方から商品を取り出しやすくすることができる。
【００１３】
また、第５には、前記第１から第４までのいずれかの構成において、補強部材における中央板部と第１板状部と第２板状部における高さ方向の長さが互いに略同一の長さに形成され、該高さ方向の長さは、該対象側面部の内側の面の下端から上端までの長さと略同一であることを特徴とする。よって、十分箱体本体を補強することができ、箱体の上に他の箱体が積み重ねられても箱体本体の変形を十分防止することができる。
【００１４】
また、第６には、前記第１から第５までのいずれかの構成において、補強部材における第２板状部の上辺から折れ線を介して片部が連設されていることを特徴とする。よって、被収納物を収納した状態で、片部を水平方向とすることにより、上側に積み重ねられた箱体の重みをより十分支えることができる。
【００１５】
また、第７には、商品を梱包するとともに陳列するための梱包兼陳列用箱体であって、１枚のシート状のブランクにより形成され、組立て状態で箱状を呈する箱体本体の１つの側面部である対象側面部に開口を形成するための第１切断予定線で、横方向に形成された第１切断予定線第１部分と、該第１切断予定線第１部分の両側の端部から対象側面部の上端にまで形成された第１切断予定線第２部分とを有する第１切断予定線が形成され、箱体本体を構成するブランクとは異なる１枚のシート状のブランクにより形成され、該対象側面部の内側の面に接着された補強部材で、該第１切断予定線に沿って第２切断予定線で横方向に形成された第２切断予定線第１部分と、該第２切断予定線第１部分の両側の端部から中央板部の上端にまで形成された第２切断予定線第２部分とを有する第２切断予定線が形成され、第２切断予定線を介した一方の領域と他方の領域とがそれぞれ該対象側面部の内側の面に接着された略方形状の中央板部と、中央板部の両側の辺部から折れ線を介して連設された方形状の第１板状部と、第１板状部の中央板部側とは反対側の辺部から折れ線を介して連設された方形状の第２板状部と、第２板状部の上辺から折れ線を介して連設された片部とを有する補強部材と、箱体本体における該対象側面部の上辺から折れ線を介して連設された上面部で、該上面部に開口部を形成するための第３切断予定線で第１切断予定線につながって形成された第３切断予定線が形成された上面部と、を有し、対象側面部と上面部間の折れ線で、第１切断予定線と第３切断予定線よりも外側の折れ線に沿って第４切断予定線が形成され、補強部材における中央板部の横方向の長さと第１板状部の横方向の長さの２つ分の和が、箱体本体における該対象側面部の横方向の長さよりも大きく形成され、補強部材における中央板部と第１板状部と第２板状部における高さ方向の長さが互いに略同一の長さに形成され、該高さ方向の長さは、該対象側面部の内側の面の下端から上端までの長さと略同一であり、また、第１切断予定線と第３切断予定線とを切断することにより、箱体本体の対象側面部から上面部にかけて開口部が形成されることを特徴とする。
【００１６】
この第７の構成の梱包兼陳列用箱体においては、箱体本体の対象側面部に形成された第１切断予定線と上面部に形成された第３切断予定線を切断することにより、対象側面部と上面部に開口部が形成される。つまり、対象側面部の側においては、補強部材の中央板部における第２切断予定線を介した一方の領域と他方の領域とがそれぞれ該対象側面部の内側の面に接着されているので、第１切断予定線を切断して対象側面部の一部を取り除くことにより第２切断予定線も切断されて、補強部材の一部も取り除かれる。これにより、対象側面部と上面部に形成された開口部を介して内部の被収納物を視認することができる。
【００１７】
補強部材においては、中央板部の横方向の長さと第１板状部の横方向の長さの２つ分の和が、箱体本体における該対象側面部の横方向の長さよりも大きく形成されているので、第１板状部が対象側面部に対して傾斜し、第２板状部が対象側面部に隣接する側面部に接した状態となるので、特に、対象側面部に対して傾斜した第１板状部が箱体本体の角部の強度を補強し、陳列用開口としての開口部が設けられた対象側面部の側の強度を保つことができ、よって、陳列用開口の箇所の強度を十分として、箱を積み重ねた場合に、陳列用開口の箇所が損傷・変形せず、安定した積み重ね状態を維持することができる。
【００１８】
また、第２切断予定線が、横方向に形成された第２切断予定線第１部分と、該第２切断予定線第１部分の両側の端部から中央板部の上端にまで形成された第２切断予定線第２部分とを有するので、第２切断予定線を切断して第２切断予定線の内側の領域を取り除いても、中央板部の両側の部分が残るので、中央板部の両側の部分によっても上側の積み重ねられた箱体の重みを支えることができる。
【００１９】
また、補強部材における中央板部と第１板状部と第２板状部における高さ方向の長さが互いに略同一の長さに形成され、該高さ方向の長さは、該対象側面部の内側の面の下端から上端までの長さと略同一であるので、十分箱体本体を補強することができ、箱体の上に他の箱体が積み重ねられても箱体本体の変形を十分防止することができる。
【００２０】
また、補強部材における第２板状部の上辺から折れ線を介して片部が連設されているので、被収納物を収納した状態で、片部を水平方向とすることにより、上側に積み重ねられた箱体の重みをより十分支えることができる。
【００２１】
また、対象側面部と上面部間の折れ線に沿って第４切断予定線が形成されているので、最上段の箱体については、第４切断予定線に沿って上面部を取り除くことにより、上方から商品を取り出しやすくすることができる。
【００２２】
また、第８には、前記第１から第７までのいずれかの構成において、箱体本体と補強部材とが、ともに、段ボール製その他の紙製であることを特徴とする。
【考案の効果】
【００２３】
本考案に基づく梱包兼陳列用箱体によれば、補強部材において、中央板部の横方向の長さと第１板状部の横方向の長さの２つ分の和が、箱体本体における該対象側面部の横方向の長さよりも大きく形成されているので、第１板状部が対象側面部に対して傾斜し、第２板状部が対象側面部に隣接する側面部に接した状態となるので、特に、対象側面部に対して傾斜した第１板状部が箱体本体の角部の強度を補強し、陳列用開口としての開口部が設けられた対象側面部の側の強度を保つことができ、よって、陳列用開口の箇所の強度を十分として、箱を積み重ねた場合に、陳列用開口の箇所が損傷・変形せず、安定した積み重ね状態を維持することができる。
【図面の簡単な説明】
【００２４】
【図１】包装箱の前方斜視図である。
【図２】包装箱の後方斜視図である。
【図３】包装箱の要部後方斜視図である。
【図４】包装箱本体の展開図である。
【図５】補強部材の展開図である。
【図６】包装箱を折り畳んだ状態の斜視図である。
【図７】包装箱の使用状態を示す説明図である。
【図８】包装箱の使用状態を示す斜視図である。
【図９】包装箱の使用状態を示す斜視図である。
【図１０】包装箱の使用状態を示す斜視図である。
【考案を実施するための形態】
【００２５】
本考案においては、商品を梱包するとともに陳列する箱体において、陳列用開口の箇所の強度を十分として、箱を積み重ねた場合に、陳列用開口の箇所が損傷せず、安定した積み重ね状態を維持することができる梱包兼陳列用箱体を提供するという目的を以下のようにして実現した。
【００２６】
本考案の梱包兼陳列用箱体としての包装箱１は、図１〜図５に示すように構成され、包装箱本体（箱体本体）５と、包装箱本体５の正面部の内側の面に固着された補強部材１００とを有している。
【００２７】
包装箱本体５は、１枚のシート状のブランク（具体的には、段ボール材（好適には、薄型段ボール材）又は厚紙）により形成され、スリーブ状部１０と、底面部３０と、上面部４０とを有し、包装箱本体５を組み立てて蓋部としての上面部４０を閉じた状態では、図８に示すように、略直方体を呈する。
【００２８】
ここで、包装箱本体５の構成を主として図４を使用して説明する。スリーブ状部１０は、正面部（対象側面部）１２と、左側面部１４と、右側面部１６と、背面部１８と、糊代部２０とを有している。スリーブ状部１０を構成する上記各部は、包装箱本体５の側面を形成する。
【００２９】
正面部１２は、方形状の板状を呈し、その上端から略Ｕ字状の切断予定線（第１切断予定線）Ｍ１が形成されている。この切断予定線Ｍ１は、ミシン目状に形成され、正面部１２の下側の領域に左右方向に直線状に形成された切断予定線Ｍ１ａと、切断予定線Ｍ１ａの正面視左端から斜め上方に直線状に形成された切断予定線Ｍ１ｂと、切断予定線Ｍ１ａの正面視右端から斜め上方に直線状に形成された切断予定線Ｍ１ｃとを有し、切断予定線Ｍ１ｂと切断予定線Ｍ１ｃ間の左右方向の距離は、上方に行くほど広くなるようにテーパ状に形成されている。なお、正面部１２において、切断予定線Ｍ１の外側の領域が正面部本体１２ａとなり、内側の領域が片部１２ｂとなる。この切断予定線Ｍ１が、対象側面としての正面部１２に開口を形成するための切断予定線であり、切断予定線Ｍ１ａが、第１切断予定線第１部分に当たり、切断予定線Ｍ１ｂ、Ｍ１ｃが、第１切断予定線第２部分に当たる。
【００３０】
左側面部１４は、正面部１２の左側面側の辺部から折れ線を介して連設され、方形状を呈している。左側面部１４の上下方向の長さは、正面部１２の上下方向の長さと略同一である。
【００３１】
右側面部１６は、正面部１２の右側面側の辺部から折れ線を介して連設され、方形状を呈している。右側面部１６の上下方向の長さは、正面部１２の上下方向の長さと略同一であり、左右方向の長さは、左側面部１４の左右方向の長さと略同一である。つまり、右側面部１６と左側面部１４とは同大同形状に形成されている。
【００３２】
背面部１８は、右側面部１６の背面側の辺部から折れ線を介して連設され、方形状を呈している。背面部１８の上下方向の長さは、正面部１２の上下方向の長さと略同一であり、左右方向の長さは、正面部１２の左右方向の長さと略同一である。つまり、背面部１８と正面部１２とは同大同形状に形成されている。
【００３３】
また、糊代部２０は、左側面部１４の背面側の辺部から折れ線を介して連設され、上下方向に略帯状を呈している。この糊代部２０は、背面部１８の内側の面に接着される。
【００３４】
また、底面部３０は、底面板部３２と、底面板部３４と、底面板部３６と、底面板部３８とを有している。
【００３５】
底面板部３２は、正面部１２の底面側の辺部から折れ線を介して連設され、方形状を呈している。底面板部３２の左右方向（正面部１２と底面板部３２間の折れ線Ｔ１の方向）の長さは、正面部１２の左右方向の長さと略同一であり、底面板部３２の折れ線Ｔ１と折れ線Ｔ１の反対側の辺部間の長さ（折れ線Ｔ１と直角方向の長さ）は、左側面部１４や右側面部１６の左右方向の長さの半分以下に形成されている。
【００３６】
また、底面板部３４は、左側面部１４の底面側の辺部から折れ線を介して連設され、方形状を呈している。底面板部３４の左右方向（左側面部１４と底面板部３４間の折れ線Ｔ２の方向）の長さは、左側面部１４の左右方向の長さと略同一であり、底面板部３４の折れ線Ｔ２と折れ線Ｔ２の反対側の辺部間の長さ（折れ線Ｔ２と直角方向の長さ）は、正面部１２や背面部１８の左右方向の長さの半分以下に形成されている。
【００３７】
また、底面板部３６は、右側面部１６の底面側の辺部から折れ線を介して連設され、底面板部３４と同大同形状に形成されている。
【００３８】
また、底面板部３８は、背面部１８の底面側の辺部から折れ線を介して連設され、底面板部３２と同大同形状に形成されている。
【００３９】
また、上面部４０は、上面板部４２と、上面板部４４と、上面板部４６と、上面板部４８と、糊代部５０とを有している。
【００４０】
上面板部４２は、正面部１２の上辺から折れ線を介して連設され、方形状を呈している。上面板部４２の左右方向（正面部１２と上面板部４２間の折れ線Ｔ１１の方向）の長さは、正面部１２の左右方向の長さと略同一であり、上面板部４２の折れ線Ｔ１１と折れ線Ｔ１１の反対側の辺部間の長さ（折れ線Ｔ１１と直角方向の長さ）は、左側面部１４や右側面部１６の左右方向の長さの半分以下に形成されている。
【００４１】
また、上面板部４２には、切断予定線Ｍ１の一方の端部から連設された切断予定線Ｍ２と、切断予定線Ｍ１の他方の予定線から連設された切断予定線Ｍ３とが設けられてる。つまり、切断予定線Ｍ２は、折れ線Ｔ１１の位置から上面板部４２の先端側（折れ線Ｔ１１とは反対側）に向けて直線状に形成され、折れ線Ｔ１１の位置で切断予定線Ｍ１ｂの上端と連設されている。また、切断予定線Ｍ３は、折れ線Ｔ１１の位置から上面板部４２の先端側（折れ線Ｔ１１とは反対側）に向けて直線状に形成され、折れ線Ｔ１１の位置で切断予定線Ｍ１ｃの上端と連設されている。切断予定線Ｍ２と切断予定線Ｍ３間の左右方向の距離は、上面板部４２の先端側に行くほど狭くなるようにテーパ状に形成されている。
【００４２】
また、上面板部４２の略中央位置には、切断予定線Ｍ２、Ｍ３の折れ線Ｔ１１側とは反対側の端部に略コ字状の切込みＭ４が形成されている。すなわち、切込みＭ４は、折れ線Ｔ１１と略平行に設けられた切込みＭ４ａと、切込みＭ４ａの両側の端部から折れ線Ｔ１１側とは反対側に切込みＭ４ａとは直角に形成された切込みＭ４ｂ、Ｍ４ｃとを有している。切断予定線Ｍ２の端部は、切込みＭ４ａの切込みＭ４ｂ側の端部に連設され、切断予定線Ｍ３は、切込みＭ４ａの切込みＭ４ｃ側の端部に連設されている。また、切込みＭ４ｂ、Ｍ４ｃの切込みＭ４ａ側とは反対側の端部間には、切込みＭ４ａと略平行な折れ線Ｓ１が設けられている。つまり、折れ線Ｓ１に沿って罫線が形成されている。
【００４３】
また、折れ線Ｔ１１の両側の部分には、切断予定線Ｍ６が形成されている。つまり、正面部１２の片部１２ａと上面板部４２の片部４２ａ間の折れ線には、切断予定線Ｍ６が形成されている。
【００４４】
なお、上面板部４２において、切断予定線Ｍ２、Ｍ３と切込みＭ４ａの外側の領域が上面板部本体４２ａとなり、内側の領域が片部４２ｂとなる。この切断予定線Ｍ２、Ｍ３が、上面部に開口を形成するための切断予定線であり、切断予定線Ｍ２と切断予定線Ｍ３と切込みＭ４ａとが、第３切断予定線に当たる。
【００４５】
また、上面板部４４は、左側面部１４の上辺から折れ線を介して連設され、長方形状の正面側の上側角部が斜めに面取りされるとともに、背面側（糊代部５０側）の下側に扇状の切欠部４４ｃが設けられている。この上面板部４４の折れ線Ｔ１２から折れ線Ｔ１２とは反対側の先端までの長さは、正面部１２の左右方向の長さの半分以下に形成されている。また、切欠部４４ｃは、上面板部４４の糊代部５０との境界位置における下端位置を中心とした扇状に形成され、上面板部４４と糊代部５０との境界線に沿った辺部と、該下端位置から斜め上方に伸びた辺部と、該下端位置を中心とする円弧状の辺部に囲まれて形成されている。また、該下端位置から斜め上方に伸びた辺部の延長線上に折れ線Ｓ２が設けられ、この折れ線Ｓ２に沿って罫線が形成されている。なお、上面板部４４における折れ線Ｓ２よりも正面側の領域が上面板部本体４４ａとなり、折れ線柄Ｓ２よりも背面側（糊代部側）の領域が片部４４ｂとなる。また、上面板部４４には糊代部５０が連設されているので、切欠部４４ｃは実際には開口部となる。
【００４６】
また、上面板部４６は、上面板部４４と線対称に形成されてる。上面板部４６は、右側面部１６の上辺から折れ線を介して連設され、長方形状の正面側の上側角部が斜めに面取りされるとともに、背面側（上面板部４８側）の下側に扇状の切欠部４６ｃが設けられている。また、上面板部４６には、折れ線Ｔ１３に対して斜めに形成された折れ線Ｓ３が切欠部４６ｃを構成する斜めの片部の延長線上に形成されている。上面板部４６における折れ線Ｓ３よりも正面側の領域が上面板部本体４６ａとなり、折れ線柄Ｓ３よりも背面側（上面板部４８側）の領域が片部４６ｂとなる。また、上面板部４６には上面板部４８が連設されているので、切欠部４６ｃは実際には開口部となる。
【００４７】
また、上面板部４８は、背面部１８の上辺から折れ線Ｔ１４を介して連設されるとともに、上面板部４６（具体的には、片部４６ｂ）の背面側の辺部から折れ線を介して連設され、全体に方形状を呈している。上面板部４８の折れ線Ｔ１４と折れ線Ｔ１４とは反対側の辺部との間の長さ（折れ線Ｔ１４と直角方向の長さ）は、左側面部１４や右側面部１６の左右方向の長さから上面板部４２の折れ線Ｔ１１と折れ線Ｔ１１の反対側の辺部間の長さ（折れ線Ｔ１１と直角方向の長さ）を減じた長さとなっている。つまり、上面板部４２と上面板部４８とで筒状に形成されたスリーブ状部１０の上側の開口部を閉じることができるようになっている。
【００４８】
また、上面板部４８には、上面板部４６における折れ線Ｔ１３とは反対側の辺部の延長線上に折れ線Ｓ４が形成され、この折れ線Ｓ４に沿って罫線が形成されている。つまり、折れ線Ｓ４は、折れ線Ｔ１４と略平行に形成されている。
【００４９】
また、上面板部４８における折れ線Ｓ４よりも上面板部４８の先端側には、波状の切断予定線Ｍ５が形成されている。切断予定線Ｍ５の中央領域の下側には、折れ線Ｔ１４側に湾曲した略円弧状の罫線Ｓ５が形成されている。また、該切断予定線Ｍ５の両側の端部には、切断予定線Ｍ５から斜め上方に形成された罫線Ｓ６、Ｓ７が形成されている。
【００５０】
この上面板部４８において、折れ線Ｔ１４と折れ線Ｓ４間の領域が板状部４８ａとなり、切断予定線Ｍ５と折れ線Ｓ４間の領域が板状部４８ｂとなり、切断予定線Ｍ５よりも先端側の領域が板状部４８ｃとなる。
【００５１】
次に、補強部材１００は、１枚のシート状のブランク（具体的には、段ボール材（好適には、薄型段ボール材）又は厚紙）により形成され、横長長方形状の補強部材本体１０１と、補強部材本体１０１の上辺から連設された突状部（片部）１２０、１２２とを有している。
【００５２】
ここで、補強部材本体１０１は、中央板部１０２と、中央板部１０２の両側の辺部から折れ線を介して連設された板状部（第１板状部）１０４、１０６と、板状部１０４、１０６の中央板部１０２側とは反対側の辺部から折れ線を介して連設された板状部（第２板状部）１０８、１１０とを有している。
【００５３】
中央板部１０２は、方形状を呈し、その左右方向の長さは、正面部１２の左右方向の長さよりも短く形成され、その上下方向の長さは、正面部１２の上下方向の長さと略同一に（厳密には、若干短く）形成されている。また、中央板部１０２には、切断予定線（第２切断予定線）Ｍ１１が形成されており、切断予定線Ｍ１１は、切断予定線Ｍ１１ａと切断予定線Ｍ１１ｂと切断予定線Ｍ１１ｃとを有している。ここで、切断予定線Ｍ１１ａは、左右方向に直線状に形成され、切断予定線Ｍ１ａと略同一長さに形成され、補強部材１００を正面部１２の内側の面に固着した場合（特に、正面部１２における左右方向における均等の位置で、補強部材１００の下端が正面部１２の下端と一致する状態で固着した場合（他においても同じ））に、切断予定線Ｍ１１ａが切断予定線Ｍ１ａと対応する位置に形成されている。つまり、切断予定線Ｍ１１ａが切断予定線Ｍ１ａに沿って形成されている。また、切断予定線Ｍ１１ｂは、切断予定線Ｍ１１ａの正面視左端から斜め上方に直線状に形成され、補強部材１００を正面部１２の内側の面に固着した場合に、切断予定線Ｍ１１ｂが切断予定線Ｍ１ｂと対応する位置に形成されている。また、切断予定線Ｍ１１ｃは、切断予定線Ｍ１１ａの正面視右端から斜め上方に直線状に形成され、補強部材１００を正面部１２の内側の面に固着した場合に、切断予定線Ｍ１１ｃが切断予定線Ｍ１ｃと対応する位置に形成されている。つまり、補強部材１００を正面部１２の内側の面に固着した状態において、切断予定線Ｍ１の内側に沿って切断予定線Ｍ１１が形成されているといえる。
【００５４】
中央板部１０２において、切断予定線Ｍ１１の外側の領域が中央板部本体１０２ａとなり、内側の領域が片部１０２ｂとなる。切断予定線Ｍ１１ａが、第２切断予定線第１部分に当たり、切断予定線Ｍ１１ｂ、Ｍ１１ｃが、第２切断予定線第２部分に当たる。
【００５５】
また、板状部１０４は、中央板部１０２の左側面側の辺部から折れ線を介して連設され、縦長長方形状を呈している。また、板状部１０６は、中央板部１０２の右側面側の辺部から折れ線を介して連設され、縦長長方形状を呈していて、板状部１０４と同大同形状に形成されている。板状部１０４と板状部１０６の左右方向の長さは、中央板部１０２の左右方向の長さと板状部１０４の左右方向の長さと板状部１０６の左右方向の長さの和（長さＬ１（図５参照））が正面部１２の左右方向の長さＬ２よりも長くなるように形成され、好ましくは、長さＬ１−長さＬ２が板状部１０４の左右方向の長さ分となり、補強部材１００を正面部１２の内側の面に固着した状態において、板状部１０４が正面部１２及び左側面部１４に対して平面視において約４５度をなし、板状部１０６が正面部１２及び右側面部１６に対して平面視において約４５度をなすようになっている。
【００５６】
板状部１０８は、板状部１０４の中央板部１０２側とは反対側の辺部から折れ線を介して連設され、縦長方形状を呈し、その左右方向の長さは、板状部１０４の左右方向の長さよりも長く形成されている。同様に、板状部１１０は、板状部１０６の中央板部１０２側とは反対側の辺部から折れ線を介して連設され、縦長方形状を呈し、その左右方向の長さは、板状部１０６の左右方向の長さよりも長く形成されている。
【００５７】
なお、中央板部１０２と板状部１０４間の折れ線と、中央板部１０２と板状部１０６間の折れ線と、板状部１０４と板状部１０８間の折れ線と、板状部１０６と板状部１１０間の折れ線とは、互いに平行に形成されている。
【００５８】
また、突状部１２０は、板状部１０８の上辺から折れ線を介して連設され、略台形形状を呈している。同様に、突状部１２２は、板状部１１０の上辺から折れ線を介して連設され、略台形形状を呈している。
【００５９】
包装箱１を組み立てた状態では、補強部材１００は正面部１２の内側の面に固着され、具体的には、補強部材１００は、正面部１２における左右方向における均等の位置で、補強部材１００の下端が正面部１２の下端と一致する状態で固着される。補強部材１００の包装箱本体５への固着に際しては、接着剤により行い、例えば、図４のハッチングに示す領域に接着剤を塗布して（なお、実際には、図４に示す状態における裏側の面に接着剤を塗布する）、補強部材１００を接着して固着する。つまり、領域Ｊ１、Ｊ３に塗布された接着剤により正面部本体１２ａと中央板部本体１０２ａとが接着され、領域Ｊ２に塗布された接着剤により片部１２ｂと片部１０２ｂとが接着される。
【００６０】
また、包装箱本体５においては、糊代部２０が背面部１８の背面側の端部の内側に接着され、糊代部５０が板状部４８ａの背面側の端部の内側に接着される。
【００６１】
上記構成の包装箱１の使用状態について説明する。包装箱１を保管したり運搬したりする場合には、包装箱１を折り畳んだ状態とする。包装箱１を折り畳んだ状態では、図６に示すように全体が略板状に折り畳まれた状態となる。その際、正面部１２と底面板部３２と上面板部４２とは１つの板状を呈し、左側面部１４と底面板部３４と上面板部４４とは１つの板状を呈し、右側面部１６と底面板部３６と上面板部４６とは１つの板状を呈し、背面部１８と底面板部３８と上面板部４８とは１つの板状を呈している。また、補強部材１００においては、中央板部１０２と板状部１０４間の折れ線を介して折曲した状態となり、中央板部１０２と板状部１０４間の折れ線よりも中央板部１０２側の部材（つまり、中央板部１０２と板状部１０６、１１０と突状部１２２）は全体に１つの板状を呈し、また、中央板部１０２と板状部１０４間の折れ線よりも板状部１０４側の部材（板状部１０４、１０８と突状部１２０）は全体に１つの板状を呈している。
【００６２】
次に、包装箱１を使用する場合には、まず、包装箱本体５のスリーブ状部１０を筒状にし（つまり、正面部１２と背面部１８とが平行となり、左側面部１４と右側面部１６とが平行となるようにする）、底面部３０を組み立てる。底面部３０を組み立てるに当たっては、底面板部３２を正面部１２に対して内側に折り曲げるとともに、底面板部３８を背面部１８に対して内側に折り曲げた後に、底面板部３４を左側面部１４に対して内側に折り曲げるとともに、底面板部３６を右側面部１６に対して内側に折り曲げる。その後、底面板部３４と底面板部３６とを接着テープにより固定することにより、底面部３０を組み立てる。この状態では、図３に示すように、補強部材１００における板状部１０４、１０６は、正面部１２に対して背面側に傾斜した状態となっていて、また、板状部１０８は左側面部１４の内側に接し、また、板状部１１０は右側面部１６の内側に接した状態となっている。
【００６３】
その後、図７に示すように、包装箱１に商品Ｇを収納する。なお、商品Ｇの左右方向の長さが包装箱１の収納空間の左右方向の長さと略同一であり、商品Ｇの左右方向の長さが補強部材１００の中央板部１０２の左右方向の長さよりも長い場合には、補強部材１００において、板状部１０４、１０６は正面部１２に対して傾斜した状態となっているので、収納空間における正面側の一部の空間内には商品Ｇは収納されない。なお、商品Ｇを収納することにより、板状部１０８、１１０間にも商品Ｇが存在するので、板状部１０８が左側面部１４の内側に接し、また、板状部１１０が右側面部１６の内側に接した状態が固定される。
【００６４】
商品Ｇを収納したら、上面部４０を閉じる。つまり、上面板部４４を左側面部１４に対して内側に折り曲げるとともに、上面板部４６を右側面部１６に対して内側に折り曲げる。その後、上面板部４２を正面部１２に対して内側に折り曲げるとともに、上面板部４８を背面部１８に対して内側に折り曲げる。その際、上面板部４４における折れ線Ｓ２を外側から見て谷折りして、片部４４ｂが上面板部本体４４ａの上面に重なるようにし、上面板部４６における折れ線Ｓ３を外側から見て谷折りして、片部４６ｂが上面板部本体４６ａの上面に重ねるようにする。片部４４ｂと糊代部５０間の折れ線は外側から見て山折りとなり、片部４６ｂと板状部４８ａ間の折れ線は外側から見て山折りとなる。上面板部４２、４８を閉じたら、図８に示すように、右側面部１６の上部から左側面部１４の上部にまで接着テープＷを貼着して、接着テープＷにより上面板部４２と上面板部４８を固着する。以上のようにして、上面部４０を閉じた状態とする。なお、上面部４０を閉じた状態とした場合には、補強部材１００における突状部１２０は板状部１０８に対して内側に折り曲げた状態となり、突状部１２２は板状部１１０に対して内側に折り曲げた状態となる。
【００６５】
上記のようにして、商品Ｇを梱包したら、所定の陳列場所（例えば、店舗の陳列場所）に運搬し、商品Ｇを収納した包装箱１を陳列する。包装箱１の陳列に当たっては、包装箱本体５における切断予定線Ｍ１、Ｍ２、Ｍ３を破断して、切断予定線Ｍ１、Ｍ２、Ｍ３に囲まれた領域（つまり、片部１２ｂと片部４２ｂ）を取り除くとともに、補強部材１００における片部１０２ｂを取り除く。具体的には、コ字状の切込みＭ４と折れ線Ｓ１により囲まれた片部を押し込んで、片部４２ｂの切込みＭ４ａ側の端部に指を掛止し、その後、該片部４２ｂを外側に引っ張ることにより切断予定線Ｍ２、Ｍ３が破断され、続いて、切断予定線Ｍ１が破断されて、切断予定線Ｍ１、Ｍ２、Ｍ３に囲まれた領域が取り除かれる。また、片部１２ｂと片部１０２ｂとが接着されているので、切断予定線Ｍ１を破断する際に同時に切断予定線Ｍ１１が破断され、切断予定線Ｍ１、Ｍ２、Ｍ３に囲まれた領域を取り除くことにより、片部１０２ｂも中央板部本体１０２ａから分離される。以上のようにして、包装箱１の正面側の一部と上面側の一部とが開口され、商品Ｇを外部から見ることができる。
【００６６】
商品Ｇの陳列に当たっては、包装箱１を積み重ねて使用するが、積み重ね状態における最上段の包装箱１については、図１０に示すように、上面を広く開口させて商品を取り出すことができるようにする。つまり、図１０に示すように、上面板部４２の片部４２ａを正面部１２の片部１２ａとの間の切断予定線Ｍ６を切断することにより取り除くとともに、上面板部４８における折れ線Ｓ４よりも先端側の領域を板状部４８ａの内側に折り返すことにより、上面板部４４、４６、４８を鉛直方向に立設状態として、上面を広く開口させる。なお、上面板部４８における折れ線Ｓ４よりも先端側の領域を板状部４８ａの内側の折り返す際には、切断予定線Ｍ５を破断して、板状部４８ｃを板状部４８ｂに対して分離させることにより、板状部４８ｂのみを板状部４８ａに対して折り返せばよいので、折り返しの作業が容易となる。
【００６７】
積み重ね状態における最上段の包装箱１について、上記のように上面を広く開口させることにより、商品Ｇを上方から取り出すことができる。
【００６８】
最上段の商品Ｇがすべて取り出された場合には、空の状態の包装箱１を取り除き、次に、最上段となる包装箱１について、上記と同様に、上面を広く開口させた状態とする。
【００６９】
以上のように、本実施例の包装箱１においては、包装箱１の正面側の一部と上面側の一部とを開口することができるので、収納されている商品を確認することができ、包装箱１を積み重ねるに際して、陳列する商品を誤るおそれが小さい。つまり、正面側の一部のみが開口される場合には、異なる商品でも収納された商品の正面側の外観が同じである場合には、商品を誤るおそれがあるが、上面の一部も開口させることにより、商品を誤るおそれを小さくすることができる。
【００７０】
また、包装箱１を積み重ねた状態で、最上段よりも下位置の包装箱に収納されている商品を正面側から視認することができるので、最上端よりも下位置の包装箱に同様の商品が収納されていることを確認することができる。
【００７１】
また、特に、包装箱１の積み重ねに際して、補強部材１００が設けられているので、補強部材１００により包装箱１の正面側の部分の強度を補強することができ、特に、包装箱１の正面側の一部と上面側の一部とを陳列用開口として開口させることにより、片部１０２ｂが取り除かれた補強部材１００であっても、中央板部本体１０２ａの上端と、板状部１０４、１０６、１０８、１１０の上端と、突状部１２０、１２２により上側に積み重ねられた包装箱１を支持することができるので、陳列用開口の箇所の強度を十分として、箱を積み重ねた場合に、陳列用開口の箇所が損傷せず、安定した積み重ね状態を維持することができる梱包兼陳列用箱体を提供することができる。
【符号の説明】
【００７２】
１  包装箱
５  包装箱本体
１０  スリーブ状部
１２  正面部
１４  左側面部
１６  右側面部
１８  背面部
２０、５０  糊代部
３０  底面部
４０  上面部
４２、４４、４６、４８  上面板部
Ｍ１、Ｍ１ａ、Ｍ１ｂ、Ｍ１ｃ、Ｍ２、Ｍ３、Ｍ５、Ｍ６、Ｍ１１、Ｍ１１ａ、Ｍ１１ｂ、Ｍ１１ｃ  切断予定線
１００  補強部材
１０１  補強部材本体
１０２  中央板部
４８ａ、４８ｂ、４８ｃ、１０４、１０６、１０８、１１０  板状部
１２０、１２２  突状部
【図１】
0003158508.tif 000003
【図２】
0003158508.tif 000004
【図３】
0003158508.tif 000005
【図４】
0003158508.tif 000006
【図５】
0003158508.tif 000007
【図６】
0003158508.tif 000008
【図７】
0003158508.tif 000009
【図８】
0003158508.tif 000010
【図９】
0003158508.tif 000011
【図１０】
0003158508.tif 000012